(57)【要約】      （修正有）【課題】充電池と係合可能なバッテリ端子の発熱を抑制することによって、ハウジングの強度を低下させることを抑制することができる往復動工具を提供する。【解決手段】モータと、該モータの出力軸の一端に設けられるファンと、前記モータを覆うハウジング２と、該ハウジング２に覆われ、モータの回転を往復動へと変換可能な往復動変換機構７と、該往復動変換機構７に接続される先端工具９と、前記モータへと通電可能である充電池４とを有する往復動工具１であって、前記充電池４には、電池電極部４Ａが設けられ、且つ、前記ハウジング２には、前記電池電極部４Ａと係合可能なバッテリ端子１１が設けられ、前記モータの出力軸の他端に設けられるギヤ３Ａにより往復動変換機構７へとモータの回転を伝達可能であり、前記モータの出力軸の一端は、前記出力軸の他端よりも前記充電池４に近接し、前記ファンのファン風を前記バッテリ端子１１に送風可能とする。【選択図】図１
2009241242.tif 000002
【特許請求の範囲】
【請求項１】
モータと、
該モータの出力軸の一端に設けられるファンと、
前記モータを覆うハウジングと、
該ハウジングに覆われ、モータの回転を往復動へと変換可能な往復動変換機構と、
該往復動変換機構に接続される先端工具と、
前記モータへと通電可能である繰り返し充電が可能な充電池とを有する往復動工具であって、
前記モータ、前記往復動変換機構、前記先端工具及び前記充電池は、略同一の平面内に配置され、
前記充電池には、充電池の通電が可能な電池電極部が設けられ、且つ、前記ハウジングには、前記電池電極部と係合可能なバッテリ端子が設けられ、
前記モータの出力軸の他端に設けられるギヤにより往復動変換機構へとモータの回転を伝達可能であり、
前記モータの出力軸の一端は、前記出力軸の他端よりも前記充電池に近接し、
前記ファンのファン風を前記バッテリ端子に送風可能であることを特徴とする往復動工具。
【請求項２】
前記充電池は、前記ハウジングに挿入可能な凸形状をした挿入部を有しており、
前記ハウジングは、前記挿入部が挿入可能な凹形状をした被挿入部を有しており、
前記電池電極部は前記挿入部に設けられ、前記バッテリ端子は前記被挿入部に設けられることを特徴とする請求項１記載の往復動工具。
【請求項３】
前記ハウジングは、先端工具が突出可能な一端部と、ハンドルが設けられる他端部と、前記一端部及び前記他端部の間の中間部とを有し、
前記挿入部は、前記中間部に設けられた被挿入部に挿入可能であることを特徴とする請求項１又は請求項２に記載の往復動工具。
【請求項４】
前記ファンからのファン風を前記バッテリ端子へと案内可能な案内部材を有することを特徴とする請求項１から請求項３のいずれか１項記載の往復動工具。
【請求項５】
前記案内部材は、前記ファンのファン風吹出し口より前記バッテリ端子まで延びていることを特徴とする請求項４記載の往復動工具。
【請求項６】
前記案内部材は、略筒形状をしており、前記ファン吹出し口より前記バッテリ端子までの間で、前記筒形状の断面積が小さくなっている部分を有することを特徴とする請求項４又は請求項５に記載の往復動工具。
【請求項７】
前記モータの出力軸は、前記先端工具が延びる方向と略直交する方向へと延びており、
前記充電池と前記モータとは、前記モータの出力軸に略直交する平面で空間的に重なる部分を有することを特徴とする請求項１から請求項６のいずれか１項記載の往復動工具。
【請求項８】
モータと、
該モータの出力軸の一端に設けられるファンと、
前記モータを覆うハウジングと、
該ハウジングに覆われ、モータの回転力を往復動へと変換可能な往復動変換機構と、
該往復動変換機構に接続される先端工具と、
前記モータへと通電可能である繰り返し充電が可能な充電池とを有する往復動工具であって、
前記モータ、前記往復動変換機構、前記先端工具及び前記充電池は、略同一の平面内に配置され、
前記充電池には、充電池の通電が可能な電池電極部が設けられ、且つ、前記ハウジングには、前記電池電極部と係合可能なバッテリ端子が設けられ、
前記モータの出力軸の他端に設けられるギヤにより往復動変換機構へと前記モータの回転を伝達可能であり、
前記モータの出力軸の一端は、前記出力軸の他端よりも前記充電池に近接しており、
前記充電池は、前記ハウジングに挿入可能な凸形状をした挿入部を有し、前記ハウジングは前記挿入部が挿入可能な凹形状をした被挿入部を有し、
前記モータの出力軸は、前記先端工具が延びる方向と略直交する方向へと延びており、
前記充電池と前記モータとは、前記モータの出力軸に略直交する平面で空間的に重なる部分を有することを特徴とする往復動工具。
【発明の詳細な説明】
【技術分野】
【０００１】
本発明は、充電池によって駆動されるモータの回転力を往復動へと変換する往復動変換機構を有する往復動工具に関するものである。
【背景技術】
【０００２】
本発明に関する往復動工具としては、例えば、セーバソー、ジグソー、ハンマ、ハンマドリルなどが挙げられる。
【０００３】
従来の往復動工具について、往復動工具の一例であるセーバソーを例として図８を用いて説明する。セーバソー１０１は、繰り返し充電可能な充電池１０４を有している。セーバソー１０１は、ハウジング１０２で覆われるモータ１０３を有しており、ハウジング１０２の内部には、モータ１０３の回転軸上に設けられたファン１０３Ｂがあり、ハウジング１０２の外部よりハウジング１０２の内部へと空気を導入可能となっている。モータ１０３の回転軸には、ピニオンが切ってあり、そのピニオンと噛合する往復動変換機構である偏心ギヤ１０７を有する。偏心ギヤ１０７は、その回転軸とずれた位置で端部に先端工具であるブレード１０９を保持可能なプランジャ１０８と接続されている。例えば特許文献１参照。
【０００４】
また、ファンによりハウジング内部に空気を導入し電池端子部に空気を送風可能な電動回転工具が提案されている。例えば、特許文献２参照。
【０００５】
【特許文献１】特開２００７−１６７９８２号公報
【特許文献２】特許第３６００６８３号公報
【発明の開示】
【発明が解決しようとする課題】
【０００６】
セーバソーなどの往復動工具では、往復動変換機構や先端工具の往復動又は先端工具と所定の作業をされる被削材等の反力によって、往復動工具が振動してしまうものであった。その際に、充電池の電池電極部とハウジングのバッテリ端子とが往復動方向の振動によって接触、非接触を繰り返すこととなり、アークが発生し発熱を起こすこととなっていた。また、振動に起因するチャタリングなどによって発熱を起こすこととなっていた。この発熱によって、往復動工具のハウジングの強度が低下する場合があった。
【０００７】
本発明の目的は、往復動工具において、ハウジングのバッテリ端子の発熱を抑制することができ、ハウジングの強度を低下させることを抑制することができる往復動工具を提供することにある。加えて、コストアップや大型化することを抑制することができる往復動工具を提供することにある。
【課題を解決するための手段】
【０００８】
上記した目的は、モータと、該モータの出力軸の一端に設けられるファンと、前記モータを覆うハウジングと、該ハウジングに覆われ、モータの回転を往復動へと変換可能な往復動変換機構と、該往復動変換機構に接続される先端工具と、前記モータへと通電可能である繰り返し充電が可能な充電池とを有する往復動工具であって、前記モータ、前記往復動変換機構、前記先端工具及び前記充電池は、略同一の平面内に配置され、前記充電池には、充電池の通電が可能な電池電極部が設けられ、且つ、前記ハウジングには、前記電池電極部と係合可能なバッテリ端子が設けられ、前記モータの出力軸の他端に設けられるギヤにより往復動変換機構へとモータの回転を伝達可能であり、前記モータの出力軸の一端は、前記出力軸の他端よりも前記充電池に近接し、前記ファンのファン風を前記バッテリ端子に送風可能であることを特徴とする往復動工具によって達成することができる。
【発明の効果】
【０００９】
請求項１記載の往復動工具の構成とすることにより、モータ、往復動変換機構、先端工具、充電池が略同一平面内に配置されるために、往復動工具の振動を抑制することができ、振動を小さくすることができる。また、モータの出力軸の一端にファンが設けられ、モータの出力軸の他端に往復動変換機構にモータの回転を伝達するギヤが設けられ、モータの出力軸の一端は、出力軸の他端よりも充電池に近接する構成としたために、コンパクトな往復動工具とすることができ、より強いファン風を往復動工具の振動による発熱が生じるバッテリ端子により送風することができるために、バッテリ端子の発熱を効果的に抑制することができる。このため、ハウジングの強度が低下することを抑制することができる。
【００１０】
請求項２記載の往復動工具の構成とすることにより、充電池が電池電極部が設けられる凸部を有し、ハウジングがバッテリ端子が設けられる凹部を有するために、ファンからバッテリ端子までの送風の距離を小さくすることができる。このため、コンパクトな往復動工具とすることができ、より強い風をバッテリ端子へと送風することができるため、よりバッテリ端子の発熱を抑制することができる。このため、ハウジングの強度が低下することを抑制することができる。
【００１１】
請求項３記載の往復動工具の構成とすることにより、充電池の挿入部がハウジングの両端部の中間に設けられた被挿入部に挿入される。このため、ハウジングの一端部から他端部までの距離の間に充電池が挿入可能であるために、一端から他端までのびる方向においてコンパクトな往復動工具とすることができる。
【００１２】
請求項４記載の往復動工具の構成とすることにより、ファン風をバッテリ端子へと案内可能な案内部材により、ファン風がバッテリ端子へと案内されるために、バッテリ端子をより効率的に冷却することができ、バッテリ端子の発熱をより抑制することができる。このため、よりハウジングの強度を低下させることを抑制することができる。
【００１３】
請求項５記載の往復動工具の構成とすることによって、案内部材がファンのファン風吹出し口よりバッテリ端子までの延びているために、案内部材によって、更に効率的にバッテリ端子を冷却することができ、更にバッテリ端子の発熱を抑制することができる。このため、よりハウジングの強度を低下させることを抑制することができる。
【００１４】
請求項６記載の往復動工具の構成とすることにより、案内部材が略筒形状をしており、その筒形状の断面積が小さくなっている部分を有するために、ファン風吹き出し口より断面積が小さくなっている部分のファン風の流速が大きくなるために、より強くファン風をバッテリ端子へと送風することができる。このため、バッテリ端子を効率的に冷却することができる。このため、バッテリ端子の発熱をより抑制することができる。このため、よりハウジングの強度を低下させることを抑制することができる。
【００１５】
請求項７記載の往復動工具の構成とすることにより、モータの出力軸は先端工具が延びる方向に略直交する方向へと延びており、充電池とモータとがモータの出力軸と略直交する平面で空間的に重なる部分を有するために、よりコンパクトな往復動工具とすることができ、より強い風をバッテリ端子へと送風することができるため、よりバッテリ端子の発熱を抑制することができる。このため、ハウジングの強度が低下することを抑制することができる。
【００１６】
請求項８記載の往復動工具の構成とすることにより、モータ、往復動変換機構、先端工具、充電池が略同一平面内に配置されるために、往復動工具の振動を抑制することができ、振動を小さくすることができる。また、モータの出力軸の一端にファンが設けられ、モータの出力軸の他端に往復動変換機構にモータの回転を伝達するギヤが設けられ、モータの出力軸の一端は、出力軸の他端よりも充電池に近接する構成としたために、コンパクトな往復動工具とすることができ、より強いファン風を往復動工具の振動による発熱が生じるバッテリ端子により送風することができるために、バッテリ端子の発熱を効果的に抑制することができる。このため、ハウジングの強度が低下することを抑制することができる。また、充電池が電池電極部が設けられる凸部を有し、ハウジングがバッテリ端子が設けられる凹部を有するために、ファンからバッテリ端子までの送風の距離を小さくすることができる。このため、コンパクトな往復動工具とすることができ、より強い風をバッテリ端子へと送風することができるため、よりバッテリ端子の発熱を抑制することができる。このため、ハウジングの強度が低下することを抑制することができる。更に、モータの出力軸は先端工具が延びる方向に略直交する方向へと延びており、充電池とモータとがモータの出力軸と略直交する平面で空間的に重なる部分を有するために、よりコンパクトな往復動工具とすることができ、より強い風をバッテリ端子へと送風することができるため、よりバッテリ端子の発熱を抑制することができる。このため、ハウジングの強度が低下することを抑制することができる。
【発明を実施するための最良の形態】
【００１７】
本発明の往復動工具の第１の実施形態を、セーバソーを例に図１から図５を用いて説明する。
【００１８】
図１は、本発明の往復動工具の第１の実施形態であるセーバソーの部分断面正面図である。セーバソー１は、ハウジング２を有する。ハウジング２は、モータハウジング２Ａ及びギヤハウジング２Ｂを有する。ハウジング２の内部には、モータ３が内設されている。ハウジングの一端部には、先端工具であるブレード９が突出するように設けられている。ブレード９は、切断の際に切断材料をガイドするベース１０を貫通する構成となっている。ハウジング２の他端部には、ハウジング２の一部によって、ハンドル５が形成されている。ハンドル５は、略「Ｄ」型をしており、トリガ６が、Ｄ型空間上の内周の反ブレード９側に設けられている。ハウジング２の下部であってハウジングの一端部と他端部の間には、繰り返し充電が可能な充電池４が着脱可能に設けられている。ハウジング２の下部には、凹形状をしている凹形状部２Ｅを有しており、また、充電池４には、ハウジングの凹形状に挿入可能な凸部４Ｂを有している。充電池４の電池電極部４Ａは、凸部４Ｂの最上部付近に設けられている。また、ハウジング２の凹形状部２Ｅの最深部には、バッテリ端子１１が設けられている。バッテリ端子１１及び電池電極部４Ａは、係合可能となっている。
【００１９】
ハウジング２の内部に設けられるモータ３は、モータハウジング３Ｄ内部に設けられており、モータハウジング３Ｄに対して回転可能に支持されている。モータ３の出力軸の一端には、図３及び４に示すようにファン３Ｂが圧入によって出力軸に対して回転不能に設けられており、また、モータ３の出力軸の他端には、ピニオン３Ａが設けられている。ピニオン３Ａは往復動変換機構である偏心ギヤ７のギヤ部７Ｂと噛合しており、偏心ギヤ７は、回転軸７Ａを回転中心として回転可能である。偏心ギヤ７には偏心軸８Ａが設けられており、偏心軸８Ａを介してプランジャ８と接続している。プランジャ８の端部にはブレード取付け部８Ｂが設けられており、ブレード９を着脱可能に保持している。
【００２０】
モータハウジング３Ｄは、略円筒形をしているが、円筒形のピニオン３Ａ側の上面には、穴が開いており、モータハウジング３Ｄ内へとモータ３へと空気が当るように導入可能となっている。また、モータハウジング３Ｄには、穴部３Ｃが設けられており、穴部３Ｃからファン３Ｂによるファン風を排出可能となっている。
【００２１】
図２に図１のＡ−Ａ線矢視図を示す。図中に示すように、モータ３の回転軸上のピニオン３Ａは、回転軸７Ａを回転中心として回転可能な偏心ギヤ７と噛合している。偏心ギヤ７の回転軸７Ａから偏心した位置に偏心軸８Ａは設けられており、プランジャ８は、偏心軸８Ａを介して偏心ギヤ７と接続されている。なお、図中に示されるように、回転軸７Ａ、偏心軸８Ａ及びモータの出力軸は、プランジャ８の延びる方向であって往復動方向と略垂直な関係になっている。また、回転軸７Ａ、偏心軸８Ａ及びモータ３の出力軸は、それぞれその軸の延びる方向は略平行となっている。また、図１にも示すように、モータ３の出力軸は、先端工具が延びる方向と略直交しており、充電池４とモータ３とは、モータ３の出力軸に略直交する平面で空間的に重なる部分を有するような構成となっている。また、図１にも示すように、モータ３、往復動変換機構である偏心ギヤ７、先端工具９及び充電池４は略同一の平面上に設けられている。
【００２２】
図３に図１のＢ−Ｂ線矢視図を示す。図中に示すように、矢印に沿ってファン３Ｂにより起きるファン風は移動可能である。ファン風は、ハウジング２の外部よりハウジング２内部へと取り込まれ、その後、モータハウジング３Ｄの上面の穴を介してモータハウジング内部へと導入され、モータ３を通過してモータ３の穴部３Ｃから、モータ３の回転軸の径方向へと移動可能である。ファン風は、穴部３Ｃより、４つのハウジング２の排気口（図３では、２Ｃ２及び２Ｃ３の２つが図示されている）からハウジング２の外部へと排出される。
【００２３】
図４に、図１のＣ−Ｃ線矢視図を示す。ファン３Ｂの径方向外周には、４つのモータハウジング３Ｄの穴部３Ｃが設けられており、又、その径方向延長上には、ハウジング２の排気口２Ｃ１、２Ｃ２、２Ｃ３及び２Ｃ４が設けられる。図中に示すように、モータハウジング３Ｄの穴部３Ｃと排気口２Ｃ１の間には、充電池４の電池電極部４Ａと係合可能なバッテリ端子１１が設けられている。なお、ハウジング２の一部である案内部材２Ｄが、モータハウジング３Ｄのあ穴部３Ｃからハウジング２の排気口２Ｃ１までファン風が案内される位置に形成されている。
【００２４】
図５に案内部材２Ｄ付近の部分断面正面図を示す。案内部材２Ｄは、図４及び図５に示すように、略筒状をしている。穴部３Ｃより出た矢印の方向へとファン風が移動する構成となっている。充電池４には、充電池４より通電可能にする電池電極部４Ａが設けられており、ハウジング２側には、電池電極部４Ａと係合可能なバッテリ端子１１が設けられている。図中に領域Ａとして示している部分は、案内部材２Ｄの内部の空間が排気口２Ｃ１に向うに従って小さくなっている。
【００２５】
本発明の往復動工具の第１の実施形態であるセーバソーの動作について説明する。充電池が充電された状態で作業者がトリガ６を操作すると、充電池４の電池電極部４Ａより、ハウジング２より延びるバッテリ端子１１へと通電され、バッテリ端子１１よりモータ３へと通電される。モータ３は、通電されると回転する。モータ３の回転によりその出力軸上に設けられるファン３Ｂ及びピニオン３Ａが回転する。
【００２６】
ピニオン３Ａの回転により、図２に示すように噛合している偏心ギヤ７が回転軸７Ａを回転中心として回転する。偏心ギヤ７の回転により、回転軸７Ａから偏心して設けられる偏心軸８Ａが回転軸７Ａを回転中心として回転する。この回転により、プランジャ８は往復動する。プランジャ８のブレード取付け部８Ｂにブレード９が取付けられており、このブレード９が往復動することにより、切断材料を切断する。切断の際には、ベース１０によって切断材料をガイドしながら切断を行う。
【００２７】
なお、モータを駆動させると、偏心ギヤ７はプランジャ８を往復動させる際に振動を発生する。また、ブレード９によって切断材料を切断する際に、ブレード９が切断材料より反力を受けるが、これによっても振動を発生する。
【００２８】
このような振動によって、ハウジング２から延びるバッテリ端子１１と、充電池の電池電極部４Ａとの間で、アークやチャタリングが発生しバッテリ端子１１は発熱を起こす。
【００２９】
ファン３Ｂの回転により、図３に示すようにハウジング２の外部より空気をハウジング２の内部へと移動させる。この際に、その空気はモータ３を通過しモータ３を冷却する。その空気は、モータ３を冷却した後にファン３Ｂにより移動され、モータハウジング３Ｄの穴部３Ｃを通過して、ハウジング２の排気口２Ｃ１、２Ｃ２、２Ｃ３及び２Ｃ４を通過して、ハウジング２の外部へと排気される。
【００３０】
図４及び図５に示すように、ファン３Ｂからのファン風は、穴部３Ｃを通過した後に、ハウジング２より延びるバッテリ端子１１へと衝突した後に、排気口２Ｃ１より排気される。このように、往復動により発生する振動によって発生するアークやチャタリングを原因とするバッテリ端子１１の発熱を、ファン風をバッテリ端子１１へと衝突させることによって冷却することができるために、バッテリ端子１１の発熱を抑制することができ、ハウジングの強度を低下させることを抑制することができる。
【００３１】
また、前記したようにハウジング２は凹形状部２Ｅの最深部にバッテリ端子１１があり、バッテリ端子１１と係合する電池電極部４Ａを有しているために、ファン３Ｂからバッテリ端子１１までの送風の距離を小さくすることができる。このため、より強い風をバッテリ端子１１へと送風することができる。これにより、よりバッテリ端子１１の発熱を抑制することができ、よりハウジング２の強度を低下させることを抑制することができる。
【００３２】
また、充電池４の挿入部である凸部４Ｂがハウジング２の両端部の中間に設けられた被挿入部である凹部２Ｅに挿入される。このため、ハウジング２の一端部から他端部までの距離の間に充電池４が挿入可能であるために、コンパクトなセーバソー１とすることができる。
【００３３】
図４及び図５に示すように、ハウジング２の一部である案内部材２Ｄによって、ファン風は、バッテリ端子１１へと衝突する方向へと案内されている。このため、バッテリ端子をより効率的に冷却することができる。このため、バッテリ端子の発熱をより抑制することができ、よりハウジング２の強度を低下させることを抑制することができる。
【００３４】
加えて、案内部材２Ｄは、ファン風吹出し口である３Ｃよりバッテリ端子１１まで延びるように形成されている。このため、案内部材２Ｄによって、更に効率的にバッテリ端子を冷却することができる。このため、更にバッテリ端子１１の発熱を抑制することができ、よりハウジング２の強度を低下させることを抑制することができる。
【００３５】
更に、案内部材２Ｄは、図４及び図５に示すように、略筒形状をしており、その筒形状の断面積が小さくなっている部分を有するために、ファン風吹き出し口より断面積が小さくなっている部分のファン風の流速が大きくなる。このために、より強くファン風をバッテリ端子１１へと送風することができる。このため、バッテリ端子１１を効率的に冷却することができる。このため、バッテリ端子１１の発熱をより抑制することができ、よりハウジング２の強度を低下させることを抑制することができる。
【００３６】
なお、上記したように、バッテリ端子１１の発熱を抑制することができるために、ハウジング２の部材として安価な部材を用いるという副次的な作用も奏し得ることができる。例えば、従来のセーバソーにおいてはポリアミド（ナイロン）やポリカーボネート等の耐熱性の高い高級な材質を用いてられていた。しかし、本発明のような構成とすることによって、ポリアミド（ナイロン）やポリカーボネート等に比較して、耐熱性の低い安価なＡＢＳ樹脂を用いることができるようになる。このことによって、より経済的なセーバソー１とすることができる。
【００３７】
また、モータ３の出力軸は先端工具９が延びる方向に略直交する方向へと延びており、充電池４とモータ３とがモータ３の出力軸と略直交する平面で空間的に重なる部分を有するために、よりコンパクトなセーバソーとすることができ、より強い風をバッテリ端子１１へと送風することができるため、よりバッテリ端子１１の発熱を抑制することができる。このため、ハウジング２の強度が低下することを抑制することができる。
【００３８】
本発明の往復動工具の第２の実施形態を、セーバソーを用いて、図６及び図７を参照しながら説明する。第１の実施形態と第２の実施形態とは、ハウジング２内部でのモータ３の配置が異なっている。第１の実施形態においては、モータ３の出力軸とプランジャ８とが直交するように構成されていたが、第２の実施形態においては、モータ３の回転軸とプランジャ８とが平行になるように構成されている。第１の実施形態と共通な部分の説明は省略する。
【００３９】
図７にも示すように、モータの出力軸の一端にファン３Ｂが設けられており、モータ３の出力軸の他端にピニオン３Ａが設けられている。ピニオン３Ａにより偏心ギヤ７を介してプランジャ８が往復動されるようになっている。
【００４０】
モータ３の出力軸上に回転不能に設けられたファン３Ｂによりハウジング２の外部から内部へと移動させた後に、モータハウジング３Ｄの排気口３Ｃからファン風は送風される。このファン風は、案内部材２Ｄよりバッテリ端子１１へと衝突するように案内される。
【００４１】
図７に図６のＤ−Ｄ断面図を示す。ハウジング２の外部より内部へと空気を移動させ、モータ３の内部を通過させ、モータの穴部３Ｃを介してハウジング２の排気口２Ｃ５より空気を排気可能となっている。図６中に示されているように、案内部材２Ｄは、穴部３Ｃからバッテリ端子１１まで延びるように構成されている。ファン風吹出し口である穴部３Ｃからハウジングの排気口２Ｃ５までの間であって、領域Ｂで示す位置では、案内部材２Ｄの断面積が小さくなっている。
【００４２】
以上のような構成であるために、第１の実施形態と同様に、コンパクトな往復動工具とすることができ、強いファン風をバッテリ端子へと送風できるようになり、ハウジングの強度が低下することを抑制することができる。
【００４３】
本発明の往復動工具の実施形態においては、セーバソーを例として説明をしたが、本発明は、セーバソーのみに限られるものではない。例えば、ハンマ、ハンマドリルなどであっても本発明の効果を奏し得ることができるものである。この場合には、例えば、シリンダに設けられる打撃子や中間子、ピストンなどが往復動変換機構となり、先端工具は、ドリルビットである。また、ジグソーであっても本発明の効果を奏し得ることができるものである。この場合には、偏心カムが往復動変換機構となり、先端工具はブレードである。なお、この他の電動工具であっても、往復動し、先端工具で所定の作業を行うものであれば、本発明の効果を奏し得ることができるものである。
【００４４】
本発明の実施形態のセーバソーにおいては、偏心ギヤによってブレードをプランジャを介して往復動する構成としたが、これ以外の方法で往復動するようなセーバソーであっても良いものである。例えば、モータの回転を、中間軸に伝達して中間軸上で中間軸の軸方向に揺動するレシプロプレートと呼ばれる部材によって、プランジャを往復動させる構成であっても、本発明の効果を奏し得ることができる。
【００４５】
なお、本発明では、バッテリ端子１１はハウジング２より延びる構成としたが、ハウジングに部材を設け、その部材を介してバッテリ端子１１を保持する構成であっても、本発明の効果を奏し得ることができるものである。
【００４６】
なお、本発明では、案内部材は、筒形状としたが、他の例えば、方形、台形、円筒形、円錐形その他の形状であっても、ファン吹出し口よりバッテリ端子まで延びる構成であれば本発明の効果を奏し得ることができるものである。
【図面の簡単な説明】
【００４７】
【図１】本発明の往復動工具の第１の実施形態を示す一部断面正面図
【図２】図１のＡ−Ａ線矢視図
【図３】図１のＢ−Ｂ線矢視図
【図４】図１のＣ−Ｃ線矢視図
【図５】図１の案内部材付近の要部拡大図
【図６】本発明の往復動工具の第２の実施形態を示す一部断面正面図
【図７】図６のＤ−Ｄ線矢視図
【図８】従来の往復動工具を示す一部断面図
【符号の説明】
【００４８】
１はセーバソー、２はハウジング、３はモータ、４は充電池、５はハンドル、６はトリガ、７は偏心ギヤ、８はプランジャ、９はブレード、１０はベース、１１はバッテリ端子
【図１】
2009241242.tif 000003
【図２】
2009241242.tif 000004
【図３】
2009241242.tif 000005
【図４】
2009241242.tif 000006
【図５】
2009241242.tif 000007
【図６】
2009241242.tif 000008
【図７】
2009241242.tif 000009
【図８】
2009241242.tif 000010